(57)【要約】【課題】わずかな荷重しか必要としない操作で簡便にロック及びその解除をすることができる蓋体を提供する。【解決手段】開口部を有する取付け部と、取付け部とヒンジにより連結され開口部に対して開閉自在に設けられた開閉体とを備える蓋体であって、開閉体のヒンジの反対側の端部に、開閉体との境界で折り曲げ可能に取付けられたフラップ状の第１折曲げ片が連結され、第１折曲げ片の開閉体と反対側の端部に、第１折曲げ片との境界で折り曲げ可能に取付けられたフラップ状の第２折曲げ片が連結され、取付け部は、折曲げられた第１折曲げ片及び第２折曲げ片を収容可能な収容部と、係合リブとを含み、開口部が開閉体により閉じられた状態において、第２折曲げ片は、収容部の開口端の一部を覆い、第１折曲げ片を収容部に向かって折曲げることにより、第１折曲げ片の端部が係合リブを乗り越えて、開閉体をロックした状態とすることを可能とした。【選択図】図１
2019043596.tif 000002
【特許請求の範囲】
【請求項１】
開口部を有する板状の取付け部と、
前記取付け部とヒンジにより連結され、前記開口部に対して開閉自在に設けられた開閉体とを備える蓋体であって、
前記開閉体の前記ヒンジの反対側の端部に、前記開閉体との境界で折り曲げ可能に取付けられたフラップ状の第１折曲げ片が連結され、
前記第１折曲げ片の前記開閉体と反対側の端部に、前記第１折曲げ片との境界で折り曲げ可能に取付けられたフラップ状の第２折曲げ片が連結され、
前記取付け部は、折曲げられた前記第１折曲げ片及び前記第２折曲げ片を収容可能な収容部と、係合リブとを含み、
前記開口部が前記開閉体により閉じられた状態において、
前記第２折曲げ片は、前記収容部の開口端の一部を覆い、
前記第１折曲げ片を前記収容部に向かって折曲げることにより、前記第１折曲げ片の端部が前記係合リブを乗り越えて、前記開閉体をロックした状態とすることが可能な、蓋体。
【請求項２】
前記開閉体がロックされた状態において、
前記第１折曲げ片を前記収容部に向かってさらに折り込むと、前記第１折曲げ片の端部が、前記ヒンジの方向へ向かって前記係合リブから離れて前記開閉体のロック状態が解除され、
前記第２折曲げ片の前記収容部の開口端の一部を覆う部分が、前記収容部とは反対の方向へ移動し、前記第２折曲げ片を引き上げることにより前記開閉体を開けることが可能になる、請求項１に記載の蓋体。
【請求項３】
前記開閉体がロックされた状態において、
前記第２折曲げ片を前記収容部と反対の方向に向かって引き上げると、前記第１折曲げ片の端部が前記係合リブを乗り越えて前記開閉体がロックされた状態が解除され、前記開閉体を開けることが可能になる、請求項１に記載の蓋体。
【請求項４】
前記第２折曲げ片の前記収容部の開口端に対向する面にリブが形成され、
前記第２折曲げ片の前記収容部の開口端の一部を覆う部分が、前記収容部とは反対の方向へ移動する際に、前記第２折曲げ片のリブが前記収容部の開口端に当接する、請求項２に記載の蓋体。
【請求項５】
請求項１から４のいずれかに記載の蓋体と、容器本体とを含む、包装容器。
【発明の詳細な説明】
【技術分野】
【０００１】
本発明は、蓋体及びこれを用いた包装容器に関するものである。
【背景技術】
【０００２】
ウエットティッシュ等のシート状の内容物を収容可能な軟包装袋等の開口部に取付けて開口部の開閉を可能とする蓋体が知られている（特許文献１、非特許文献１、２参照）。
【０００３】
特許文献１及び非特許文献１、２に開示されている蓋体（取出口栓）は、取付け部（取出口栓本体）と、取付け部にヒンジを介して取付けられた開閉体（蓋）とを備える。この蓋体の使用者は、開閉体を閉じる際には、開閉体に設けた円筒状キャップを、取付け部に設けた円筒状キャップ受けに嵌合させる。そして、開閉体を開く際には、開閉体のヒンジに対向する開放端部に指を掛けて持ち上げることにより、円筒状キャップと円筒状キャップ受けとの嵌合を外すことができる。
【先行技術文献】
【特許文献】
【０００４】
【特許文献１】特開２００２−２２５９１１号公報
【非特許文献】
【０００５】
【非特許文献１】意匠登録第１１３４１６９号公報
【非特許文献２】意匠登録第１１３４４５２号公報
【発明の概要】
【発明が解決しようとする課題】
【０００６】
しかしながら、このような蓋体では、バッグ等に入れて持ち運ぶ際等に、一緒に入れたペンのような細い棒状の物体が開閉体の開放端部から取付け部と開閉体との間の隙間に入り込むことにより円筒状キャップと円筒状キャップ受けとの嵌合が外れ、開閉体が偶発的に開くおそれがあった。
【０００７】
これを防ぐためには、例えば、円筒状キャップと円筒状キャップ受けとの嵌合力を高める対策を取り得るが、このような対策の場合、嵌合に大きな力が必要になり開閉体の開閉が困難になるおそれがあった。また、開閉体を閉状態に維持するためのロック機構を設ける対策を取り得るが、このような対策の場合、採用するロック機構の構造によっては、ロック及びその解除の操作に手間がかかるおそれがあった。
【０００８】
本発明はこのような課題に鑑みてなされたものであり、わずかな荷重しか必要としない操作で簡便にロック及びその解除をすることができる蓋体を提供することを目的とする。
【課題を解決するための手段】
【０００９】
上記課題を解決するための本発明の一局面は、開口部を有する板状の取付け部と、取付け部とヒンジにより連結され、開口部に対して開閉自在に設けられた開閉体とを備える蓋体であって、開閉体のヒンジの反対側の端部に、開閉体との境界で折り曲げ可能に取付けられたフラップ状の第１折曲げ片が連結され、第１折曲げ片の開閉体と反対側の端部に、第１折曲げ片との境界で折り曲げ可能に取付けられたフラップ状の第２折曲げ片が連結され、取付け部は、折曲げられた第１折曲げ片及び第２折曲げ片を収容可能な収容部と、係合リブとを含み、開口部が開閉体により閉じられた状態において、第２折曲げ片は、収容部の開口端の一部を覆い、第１折曲げ片を収容部に向かって折曲げることにより、第１折曲げ片の端部が係合リブを乗り越えて、開閉体をロックした状態とすることが可能な、蓋体である。
【００１０】
また、本発明の他の局面は、上記の蓋体と、容器本体とを含む、包装容器である。
【発明の効果】
【００１１】
本発明によれば、わずかな荷重しか必要としない操作で簡便にロック及びその解除をすることができる蓋体を提供することができる。
【図面の簡単な説明】
【００１２】
【図１】本発明の一実施形態に係る蓋体の開閉体を開いた状態の平面図及び断面図
【図２】本発明の一実施形態に係る蓋体の開閉体を閉じた状態の平面図及び断面図
【図３Ａ】本発明の一実施形態に係る蓋体の開閉体をロックする方法を示す断面図
【図３Ｂ】本発明の一実施形態に係る蓋体の開閉体をロックする方法を示す断面図
【図３Ｃ】本発明の一実施形態に係る蓋体の開閉体をロックする方法を示す断面図
【図４】本発明の一実施形態に係る蓋体の開閉体のロックを解除し、開く方法を示す断面図
【発明を実施するための形態】
【００１３】
本発明の一実施形態に係る蓋体１００について、図１、図２を参照して説明する。蓋体１００は、取付け部２００と、取付け部２００上に設けられたヒンジ１１０により取付け部２００に連結された開閉体３００と、開閉体３００の端部に連結された第１折曲げ片３１０と、第１折曲げ片３１０の端部に連結された第２折曲げ片３２０とを含んで構成される。図１に、開閉体３００を開いた状態の蓋体１００の平面図（図１の左図）及びＡ−Ａ’線で切断した断面図（図１の右図）を示す。また、図２に、開閉体３００を閉じてロックした状態の蓋体１００の平面図（図２の左図）及びＢ−Ｂ’線で切断した断面図（図２の右図）を示す。なお、開閉体３００を閉じた状態とは、開閉体３００がロックされているか否かに関わらず、開口部２１０が開閉体３００により閉じられて閉塞された状態をいう。
【００１４】
蓋体１００は、開口を有する軟包装袋等の容器本体（図示しない）の開口に取付けることにより容器本体とともに包装容器を構成し、容器本体の開口の閉塞及び開放を可能にするために用いられる。
【００１５】
（取付け部）
取付け部２００は、蓋体１００を容器本体に取付けるための部材である。図１、図２に示すように、取付け部２００は、開口部２１０と、凹部２２０と、収容部２３０と、２つの係合リブ２４０とを含んで構成されている。
【００１６】
開口部２１０は、容器本体の内容物を取出すために、取付け部２００に形成された開口である。図１に示すように、開口部２１０は、取付け部２００の略中央に形成された円形状の開口である。なお、開口部２１０には、包装容器の流通に際して収容物の密封性を高めるために、使用にあたって取りはずすことのできる中栓を設けてもよい。また、開口部２１０の端縁に、開口部２１０の密封性を高めるため、開閉体３００に設けたインナーリングと嵌合できる環状壁を設けてもよい。
【００１７】
凹部２２０は、開閉体３００を閉じた際に開閉体３００がほぼ重なる窪みである。図１に示すように、凹部２２０は、開口部２１０を囲むように、取付け部２００の一部を開閉体３００の形状に対応して窪ませて形成されている。
【００１８】
収容部２３０は、開閉体３００を閉じてロックする際に、後述する第１折曲げ片３１０及び第２折曲げ片３２０を収容するために形成された窪みである。図１に示すように、収容部２３０は、凹部２２０のヒンジ１１０の反対側に位置する端部に接するように、取付け部２００の一部を凹部２２０よりも深く窪ませて形成されている。
【００１９】
係合リブ２４０は、開閉体３００をロックするために形成されたリブである。図１に示すように、２つの係合リブ２４０のそれぞれは、一例として、取付け部２００の凹部２２０の内周面から突出して、取付け部２００の表面（ヒンジ１１０の設けられた側の面）から凹部２２０の底面まで、取付け部２００の表面に直交する方向に向かって延伸する直線状のリブである。２つの係合リブ２４０は、図１、図２に示すように、開閉体３００を閉じた状態において、一例として、第１折曲げ片３１０を挟んで対称な位置に形成されている。
【００２０】
（開閉体）
開閉体３００は、ヒンジ１１０により取付け部２００に連結され、開口部２１０に対して開閉自在に設けられた部材である。図１、図２に示すように、開閉体３００は、ヒンジ１１０の反対側の端部に第１折曲げ片３１０が連結されている。開閉体３００は、開口部２１０と対向する面に、開口部２１０の密封性を高めるため、開口部２１０の環状壁と嵌合するインナーリングを設けてもよい。
【００２１】
（第１折曲げ片）
第１折曲げ片３１０は、閉状態にある開閉体３００のロック及びロックの解除を行うために設けられている。第１折曲げ片３１０は、開閉体３００のヒンジ１１０の反対側の端部に、開閉体３００との境界で折り曲げ可能に連結されたフラップ状の部材である。第１折曲げ片３１０は、開閉体３００との境界での折り曲げを可能とするために、図１、図２に示すように、直線状に形成した薄肉領域を介して開閉体３００と連結されている。図１の断面図に示すように、第１折曲げ片３１０は、荷重がかからない状態では、折れ曲がらないように形成されている。
【００２２】
詳細は後述するが、第１折曲げ片３１０は、開閉体３００が閉じられてロックされていない状態において、係合リブ２４０の取付け部２００の表面側の端面の少なくとも一部を覆うように形成されている。
【００２３】
（第２折曲げ片）
第２折曲げ片３２０は、開閉体３００を開く際の摘みとして設けられている。第２折曲げ片３２０は、第１折曲げ片３１０のヒンジ１１０の反対側の端部に、第１折曲げ片３１０との境界で折り曲げ可能に取付けられたフラップ状の部材である。第２折曲げ片３２０は、第１折曲げ片３１０との境界での折り曲げを可能とするために、図１、図２に示すように、直線状に形成した薄肉領域を介して第１折曲げ片３１０と連結されている。図１の断面図に示すように、第２折曲げ片３２０は、荷重がかからない状態では、折れ曲がらないように形成されている。
【００２４】
図２に示すように、第２折曲げ片３２０は、開閉体３００を閉じた状態で、収容部２３０の開口端の一部を覆うように形成されている。図１に示すように、第２折曲げ片３２０は、収容部２３０に対向する面から突出した３本の直線状のリブ３２１を備えており、このリブ３２１により収容部２３０の開口端に当接している。
【００２５】
（ロック方法）
次に、開閉体３００をロックする方法について、図３Ａ〜図３Ｃを参照して説明する。図３Ａ〜図３Ｃの左図は、図２の点線で囲ったＤ部の拡大図であり、開閉体３００をロックする際の第１折曲げ片３１０及び第２折曲げ片３２０と収容部２３０との状態を示す。また、図３Ａ〜図３Ｃの右図は、図２のＣ−Ｃ’線で切断した断面図であり、開閉体３００をロックする際の係合リブ２４０と第１折曲げ片３１０との状態を示す。
【００２６】
初めに、図３Ａに、開閉体３００が閉じられているが、ロックはされていない状態を示す。図３Ａの左図に示すように、この状態において、第１折曲げ片３１０及び第２折曲げ片３２０のいずれにも荷重はかかっていないため、どちらも折れ曲がっておらず、収容部２３０に収容されていない。また、第２折曲げ片３２０は、端部またはリブ３２１が収容部２３０の開口端に当接した状態にある。  
【００２７】
この時、図３Ａの右図に示すように、第１折曲げ片３１０は、係合リブ２４０の取付け部２００の表面側の端面の少なくとも一部を覆う位置にある。このときのオーバーラップ代（図の長さＬ）の最大値は、例えば、０．３ｍｍ以上０．９ｍｍ以下とすることができる。長さＬが０．３ｍｍ未満の場合、ロック強度とロック時の感触が弱くなり、かつロック深さも浅くなる。また、長さＬが０．９ｍｍ超の場合、その逆となり、ロック強度とロック時の感触が強くなり過ぎるおそれがある。
【００２８】
次に、図３Ｂに、蓋体１００の使用者により第１折曲げ片３１０が、収容部２３０に向かって押圧されている状態を示す。図３Ｂの左図に示すように、第１折曲げ片３１０が黒色の矢印で示す方向に押圧されると、第１折曲げ片３１０は、開閉体３００との境界で収容部２３０に向かって折れ曲がる。また、第２折曲げ片３２０は、端部またはリブ３２１が収容部２３０の開口端に当接しているため、第１折曲げ片３１０との境界で折れ曲がる。
【００２９】
この時、図３Ｂの右図に示すように、第１折曲げ片３１０が折れ曲がることで、第１折曲げ片３１０の端部が係合リブ２４０の端部に当接する。
【００３０】
この状態で、第１折曲げ片３１０を、収容部２３０に向かってさらに押圧することで、係合リブ２４０に当接していた第１折曲げ片３１０の端部は、白色の矢印で示す方向に移動しながら係合リブ２４０を乗り越える。これにより、開閉体３００はロックされた状態となる。
【００３１】
図３Ｃに、開閉体３００がロックされた状態を示す。図３Ｃの左図に示すように、開閉体３００がロックされた状態で、第１折曲げ片３１０と第２折曲げ片３２０とは、それぞれ折れ曲がった状態で収容部２３０に収容された状態となる。また、第２折曲げ片３２０は、一端がリブ３２１を介して収容部２３０の開口端に当接している。
【００３２】
この時、図３Ｃの右図に示すように、第１折曲げ片３１０の端部は、係合リブ２４０を乗り越えることにより係合している。これにより、開閉体３００の開く方向への動きは規制され、この結果、開閉体３００はロックされた状態を維持することができる。なお、第１折曲げ片３１０の端部は、係合リブ２４０を乗り越える代わりに、乗り上げた状態で所定の接触圧で当接することで係合するようにしてもよい。
【００３３】
（ロック解除方法１）
次に、開閉体３００がロックされている状態を解除する方法の一例について、図４を参照して説明する。図４は、開閉体３００のロック状態を解除し、開く方法を示す断面図である。なお、図４の左図及び右図は、図３Ａ等と同様に、それぞれ図２の点線で囲ったＤ部の拡大図、及び図２のＣ−Ｃ’線で切断した断面図である。
【００３４】
開閉体３００のロック状態を解除する際、蓋体１００の使用者は第１折曲げ片３１０を、黒色の矢印で示すように収容部２３０に向かって押圧する。開閉体３００がロックされている状態で、第１折曲げ片３１０を押圧することにより、図４の左図に示すように、第１折曲げ片３１０は、収容部２３０に向かってさらに折れ曲がる。この結果、図４の右図に示すように、第１折曲げ片３１０の端部が、ヒンジ１１０（紙面右）の方向へむかって係合リブ２４０から離れて、開閉体３００のロック状態が解除される。
【００３５】
第１折曲げ片３１０が収容部２３０に向かってさらに折れ曲がることにより、第２折曲げ片３２０は、さらに第１折曲げ片３１０側へ向かって折れ曲がり、その端部が上方（収容部２３０とは反対の方向へ向かって）に持ち上がる。この結果、蓋体１００の使用者は、折れ曲がった第２折曲げ片３２０を容易につまむことが可能になる。蓋体１００の使用者は、つまんだ第２折曲げ片３２０を、白矢印で示すように引き上げることにより、ロックの解除された状態の開閉体３００を開くことができる。
【００３６】
第２折曲げ片３２０にリブ３２１を設けてリブ３２１と開口端とを当接させることで、第２折曲げ片３２０にリブ３２１が無い場合と比較して、第２折曲げ片３２０が折り曲がった際に端部と開口端との距離を増やす（隙間を形成する）ことができる。このため、使用者は第２折曲げ片３２０をより摘みやすくなる。また、第２折曲げ片３２０にリブ３２１を設けることで、リブ３２１が突起となるため、使用者はリブ３２１に指の腹を当てることにより第２折曲げ片３２０を摘みやすくなる。
【００３７】
（ロック解除方法２）
開閉体３００のロック状態を解除して開く方法は、上記方法に限定されない。例えば、ロック状態にある蓋体１００の第１折曲げ片３１０を押し下げることなく、第２折曲げ片３２０をつまんで、収容部２３０と反対の方向に向かって引き上げてもよい。これにより、第１折曲げ片３１０の端部が、係合リブ２４０を上方に向かって乗り越えるためロック状態が解除される。引き続き第２折曲げ片３２０を持ち上げることで、ロック状態が解除された開閉体３００を開くことができる。
【００３８】
（作用・効果）
以上説明したように、本発明によれば、蓋体１００の使用者は、開閉体３００を閉じた状態において、第１折曲げ片３１０を収容部２３０に向かって押し下げるという簡単でわずかな荷重しか必要としない操作によって、第１折曲げ片３１０に係合リブ２４０を乗り越えさせて、開閉体３００をロック状態とすることができる。
【００３９】
また、蓋体１００の使用者は、ロック状態にある開閉体３００の第１折曲げ片３１０を収容部２３０に向かってさらに押し下げるという簡単でわずかな荷重しか必要としない操作によってロック状態を解除できる。
【００４０】
また、第２折曲げ片３２０の端縁が浮き上がるのでこれを容易に摘んで開閉体３００を簡単に開くことができる。したがって、指で第１折曲げ片３１０を押した後、第２折曲げ片３２０を摘んで持ち上げるという、一連の操作によって、簡単に開閉体３００を開くことができる。第２折曲げ片３２０は、端縁を指の先端で摘んでひっぱることができるのみでなく、指の側面を沿わせることによって持ち上げることができるため、とくに爪の長い使用者であっても、爪を傷めることなく開閉体３００を開くことができる。
【００４１】
また、第１折曲げ片３１０及び第２折曲げ片３２０は、取付け部２００と開閉体３００との隙間を覆うように形成されている。このため、蓋体１００をバッグ等に入れて持ち運ぶ場合にも、開閉体３００と凹部２２０との隙間に細い棒状の物体が入り込みにくく、開閉体３００が偶発的に開くことを防止できる。また、そのため、開閉体３００を開けるのに要する力（ヒンジの固さ等）を小さく設計することができる。
【産業上の利用可能性】
【００４２】
本発明は、ウエットティッシュ等のシート状の内容物を収容した軟包装袋の蓋体に好適に用いることができる。
【符号の説明】
【００４３】
１００    蓋体
１１０    ヒンジ
２００    取付け部
２１０    開口部
２２０    凹部
２３０    収容部
２４０    係合リブ
３００    開閉体
３１０    第１折曲げ片
３２０    第２折曲げ片
３２１    リブ
【図１】
2019043596.tif 000003
【図２】
2019043596.tif 000004
【図３Ａ】
2019043596.tif 000005
【図３Ｂ】
2019043596.tif 000006
【図３Ｃ】
2019043596.tif 000007
【図４】
2019043596.tif 000008